(57)【特許請求の範囲】
【請求項１】
継手を支持する挟持部と、前記挟持部を支持し、基盤に設置される基底部とを備えた固定具Ａと、前記基盤に取り付ける手段及び前記固定具Ａが接続される接続手段を備えた固定具Ｂと、からなり、
前記接続手段は、
前記基底部が嵌め込まれる穴部と、
前記穴部の周縁から立設して前記基底部の側面に当たる立爪と、
前記穴部側へ張出して前記基底部が前記穴部から抜け出ないように前記基底部へ嵌め込まれる嵌め込み爪と、
を有し、
前記基盤に取り付ける手段は、前記基底部の周縁より外側に形成された取付孔であるパイプ継手の固定構造。
【発明の詳細な説明】
【技術分野】
【０００１】
本発明はプラスチック製のパイプ継手（以下、単に継手という）を基盤上に固定するパイプ固定装置に関するものである。
【背景技術】
【０００２】
近年、高層建築を始め戸建て住宅にあっても給水・給湯パイプとして比較的柔軟なプラスチックパイプが用いられている。代表的に言えば、給水・給湯源から導かれた配管ヘッダ−と各器具間をこのプラスチックパイプにて連結するものであり、この配管ヘッダ−とプラスチックパイプ、プラスチックパイプと各器具、更にプラスチックパイプ同士の連結等に継手が用いられ、近年では配管ヘッダ−もこの継手を連結したものが採用されるようになってきた。
【０００３】
以下、本発明をプラスチック製の継手を連結した配管ヘッダ−を代表として説明すると、この種の配管ヘッダ−は通常はコンクリ−ト等の水平の或いは垂直の基盤に固定されて使用に供される。しかるに、プラスチック製の継手を連結した配管ヘッダ−にあっては、外部応力等により継手の夫々が連結部にてやや動きを伴うため、多少の折れ曲がり現象を生ずる。従って、使用される固定具にはこのずれやねじれを阻止する機能を持っていなくてはならないが、かかる機能を有する固定具はない。
【０００４】
図１はプラスチック製の継手の一例であり、図２はこれを連結した配管ヘッダ−の例である。図１（Ａ）にて示す継手は基体１がポリブテン製であり、基体１に貫通する流路２が形成され、その一側に連結用筒体３、他側に筒体３を保持する保持機構４が構成されている。この例は前記流路２より分岐して保持機構４をもつ分岐口５を備えたものである。保持機構４にはこれを構成する部材を支持するキャップ６が螺着されている。かかる流路２内には、シ−ルリング７、コレット収納部材８、コレット９が内蔵されているが、分岐口のない形状の継手をも含めて種々の継手があることは言うまでもない。尚、図１（Ａ）にあって、キャップ６の外形は任意であり、スリットの有無も任意である。
【０００５】
図１（Ｂ）はプラスチック製の継手の他の例であり、継手はポリブテン製の基体１に貫通する流路２が形成され、その一側に連結用筒体３、他側に筒体３を保持する保持機構４が構成されている。この例では前記流路２より分岐して保持機構４をもつ分岐口５を備えたものである。保持機構４（シ−ルリング７、コレット９）に対してこれを支持するキャップ６が基体１に螺着されている構造である。
【０００６】
さて、かかる継手より図２（Ａ）の配管ヘッダ−を構成するには複数の継手（ここでは図１（Ａ）の継手）の連結用筒体３を夫々順次保持機構４内に差し込んでなるもので、所望の数の分岐口５を持つ配管ヘッダ−を構成する。しかるに、得られた配管ヘッダ−は継手が連続的に連なったものであり、外力によって図２（Ｂ）のように継手が全体として折れ曲がったような状態（固定位置のずれやねじれの状態）の配管ヘッダ−となりやすく、基盤上の固定する固定具はこの折れ曲がり現象に耐え、しかも、できればこの現象を阻止する機能を有することが必要となる。
【０００７】
勿論、プラスチックパイプ同士、或いは機器とプラスチックパイプを繋ぐのに用いられる同様の継手にあっても、パイプに柔軟性があるがために継手が向きを変えたり、移動することは避けられないことから、継手のみの場合であっても同様な阻止機能を有することが必要である。このため、本出願人は既に継手の固定具を提案した（特許文献１）。
【先行技術文献】
【特許文献】
【０００８】
【特許文献１】特開２００４−２２５８５８号公報
【０００９】
即ち、特許文献１の発明は、基盤へ取り付けられる基底部と、キャップを挟む挟持部とよりなるパイプ継手の固定構造であって、挟持部は二つ割りされ、挟持部の前端に相互に係止する係止手段を持つもので、前端よりキャップを差し込んでなる継手の固定装置である。
【００１０】
この固定装置は継手の中でも最も強度の高いキャップをもって固定するものであり、その固定強度は高く、継手のずれやねじれにも十分耐え得る固定装置であり、実用性が極めて高いものとなった。
【発明の概要】
【発明が解決しようとする課題】
【００１１】
しかるに、これにても改良が求められる場合もあり、特に基盤に取り付ける際の改良が求められている。即ち、基盤にこの固定装置を取り付ける際に、基底部に開けられた長孔をもってビス等で固定することとなるが、基底部の中央に取付用穴があるため、継手を固定する前に予めかかる固定装置を基盤に取り付けておく必要があった。しかるに、固定装置を設置した後に実際に継手を支持・固定してみるとその位置がずれていることがある。この点を考慮すると事前に固定装置を正確に設置する必要があり、このため、けがき作業が必要になってしまい、設置のための作業工数が増えてしまうという問題が指摘されている。
【００１２】
更に、その後の配管施工等の関係で固定装置を若干移動したい場合や、固定装置を増やしたい場合も生じるが、今度は既に配管されているため、この配管自体が邪魔になり、基底部の長孔にビスが通らない等という不具合も指摘されている。
【課題を解決するための手段】
【００１３】
本発明の要旨は、継手を支持する挟持部と、前記挟持部を支持し、基盤に設置される基底部とを備えた固定具Ａと、前記基盤に取り付ける手段及び前記固定具Ａが接続される接続手段を備えた固定具Ｂと、からなり、前記接続手段は、前記基底部が嵌め込まれる穴部と、前記穴部の周縁から立設して前記基底部の側面に当たる立爪と、前記穴部側へ張出して前記基底部が前記穴部から抜け出ないように前記基底部へ嵌め込まれる嵌め込み爪と、を有し、前記基盤に取り付ける手段は、前記基底部の周縁より外側に形成された取付孔であるパイプ継手の固定構造にかかるものである。
【発明の効果】
【００１４】
本発明は以上の通りであって、継手固定装置を継手を支持する挟持部を備えた固定具Ａと、基盤に取り付ける固定具Ｂとに機能を分解し、先ず固定具Ａ、Ｂを接続し、次に固定具Ａをもって継手を挟み付け、この後に固定具Ｂを基盤に取り付けるパイプ継手の固定装置である。
【００１５】
即ち、従来の固定装置にあっては、先ず一体の固定装置を基盤に取り付け、この固定装置に添って継手を固定・配管するものであったが、基盤への取り付け穴が基底部に形成されていたため、継手に装着後に固定装置を基盤に取り付けることは、前記したようにパイプが邪魔になって取り付けが不可能であった。
【００１６】
本発明は、基盤との取り付けは継手を支持する部材（固定具Ａ）とは別の部材（固定具Ｂ）をもって取り付けるものである。すなわち、先ず固定具Ａ、Ｂを接続し、次に固定具Ａをもって継手を挟み付け、この後に固定具Ｂを基盤に取り付ける。ここで、固定具Ｂを基盤に取り付ける取付孔は、基底部の周縁より外側に形成されているので、固定具Ａにより継手を挟み付けた後であっても、固定具Ｂを基盤に取り付けることができ、更には取り外しができるという特徴と持つものである。
【図面の簡単な説明】
【００１７】
【図１】図１はプラスチック製の継手の一例である。
【図２】図２は図１の継手を連結した配管ヘッダ−の例である。
【図３】図３は固定具Ａの正面図である。
【図４】図４は図３の側面図である。
【図５】図５は本発明の固定具Ｂの斜視図である。
【図６】図６は本発明の固定装置を示す正面図である。
【図７】図７は図３の固定装置を用いて配管ヘッダ−を固定した側面図である。
【図８】図８は図７の上面図である。
【発明を実施するための形態】
【００１８】
上記したように、固定装置を継手を支持する部位（固定具Ａ）と基盤に取り付ける部位（固定具Ｂ）とに二分した固定装置であり、先ず固定具Ａ、Ｂを接続し、次に固定具Ａをもって継手を挟み付け、この後に固定具Ｂを基盤に取り付ける工程を採るものである。そして、固定具Ｂにおける基盤との取り付け用の孔の位置は任意ではあるが、好ましくは、固定具Ａとの接続部位の外側にあるのがよく、これによって基盤への取り付けが容易となったものである。
【００１９】
固定具Ａの好ましい形態としては、基盤に対向する基底部とこの基底部から立ち上がる脚部と脚部に備えたプラスチック継手のキャップを挟む挟持部とを有するもので、具体的に言えば、固定具Ａの挟持部は、二つ割りされ、かつこの幅方向に内側に湾曲してキャップの側面を挟み込む舌片を備え、更に挟持部の前端に相互に係止する係止手段を持ち、後端側を基底部に立設された脚部により回転可能に支持され、後端側より更に内側に伸びる踏部を形成し、前端よりキャップを差し込み、当該キャップにて踏部を押して前端の係止手段が作動するようにしたものである。
【００２０】
固定具Ｂの好ましい形態としては、固定具Ａにおける基底部の周縁を包む立爪とこの基底部に嵌め込まれる嵌め込み爪と更にこの基底部の周縁より外側に位置し基盤に取り付ける取付用孔とを有するものであり、好ましくは、基底部の周縁より外側に位置した基盤に取り付ける取付用孔とを有するものであり、更に好ましくは、固定具Ａの基底部が嵌め込まれる穴部が形成されているものである。
【００２１】
そして、最良の形態としては、固定具Ａ及びＢは金属製であり、継手を支持する固定具Ａは、基盤に対向する基底部とこの基底部から立ち上がる脚部と脚部に備えたプラスチック継手のキャップを挟む挟持部とを有し、当該挟持部は、二つ割りされ、かつこの幅方向に内側に湾曲してキャップの側面を挟み込む舌片を備え、更に挟持部の前端に相互に係止する係止手段を持ち、後端側を基底部に立設された脚部により回転可能に支持され、後端側より更に内側に伸びる踏部を形成し、前端よりキャップを差し込み、当該キャップにて踏部を押して前端の係止手段が作動するようにし、固定具Ｂは、前記固定具Ａと接続する接続手段として固定具Ａの基底部の周縁を包む立爪とこの基底部に嵌め込まれる嵌め込み爪と基底部の周縁より外側に位置した基盤に取り付ける取付用孔とを有し、固定具Ａの基底部が嵌め込まれる穴部が形成されたパイプ継手の固定構造である。
【実施例】
【００２２】
以下、実施例をもって本発明を更に説明する。本発明でいう固定具Ａは基本的には特許文献１に示す固定装置がそのまま採用可能であり、図３、４にて固定具Ａを示す。即ち、基底部２１と継手のキャップを挟む挟持部２３とにより構成され、この挟持部２３は二つ割りされ、かつこの幅方向に内側に湾曲して継手のキャップの側面を挟み込む舌片を備え、更に挟持部２３の前端に相互に係止する係止手段を持ち、後端側を固定部２１に立設された脚部２２により回転可能に支持され、後端側より更に内側に伸びる踏部を形成し、前端よりキャップを差し込み、当該キャップにて踏部を押して前端の係止手段が作動するようにした構造である。
【００２３】
かかる固定具Ａを更に述べれば、略長方形をなす基底部２１の対向する一方の辺には一対のフランジ２１ｂが立設されて強度アップが図られている。そして更に、この基底部２１の対向する他方の辺より一対の脚部２２、２２が立ち上げ、この先端に左右に張り出すピン２２ａ、２２ａが備えられている。２３は挟持部であり、これは二つ割りの挟持部２３ａ、２３ｂにより構成され、その内周面はほぼキャップ６の外形と同等かそれよりもやや小さめの円弧面をなすものである。この挟持部２３ａ、２３ｂの前端には相互に係止する係止手段を持つもので、具体的には２３ｂ側に外向きの突起２３ｃを形成し、２３ａ側にこれと引っ掛かる掛止部２３ｄを備えたものである。かかる挟持部２３ａ、２３ｂの後端の外側に前記したピン２２ａ、２２ａを納める穴２３ｅが形成され、挟持部２３ａ、２３ｂが回転可能に軸支される。かかる挟持部２３ａ、２３ｂの幅縁には内側に湾曲してキャップの側面を挟み込む舌片２３ｆ、２３ｆを備えたものである。そして、挟持部２３ａ、２３ｂの後端より更に内側に伸びる踏部２３ｇ、２３ｇが備えられたものである。
【００２４】
前述した通り、特許文献１における固定装置は基底部２１の中央に基盤への取り付けに供される長穴が穿孔されており、これによって固定装置が基盤に取り付けられていた。即ち、この固定装置によって配管ヘッダ−１０を固定する場合、先ず基盤の所定位置に前記した長穴２１ａをもって固定装置を取り付け、配管ヘッダ−１０を構成する継手のキャップ６を挟持部２３ａ、２３ｂの前端より挿入し、踏部２３ｇ、２３ｇを強く押し、前端を閉じて突起２３ｃと掛止部２３ｄとを引っ掛けて係止させるものである。このため、キャップ６はそのほぼ全周を挟持部２３ａ、２３ｂにて押え込まれ、しかもキャップ６の側面を舌片２３ｆ、２３ｆにて挟み込まれるもので、ここに配管ヘッダ−１０を固定する固定装置となる。しかしながら、この長穴２１ａは継手のキャップ６を挟持した後はこの継手自体が邪魔となり、簡単に基盤への取り付け位置を変えることができないという欠点があったものである。
【００２５】
しかるに本発明は、基盤への取り付けを極めて容易としたものであり、勿論、基盤へ取り付けた後でも、継手のキャップを挟持したままでその位置を容易に変更できるように、固定具Ｂを新たに採用したものである。ここで固定具Ｂについて詳細を説明する。図５は固定具Ｂの斜視図である。図５は２種類の固定具Ｂを示すが、固定具Ａの基底部２１の周縁を包む立爪３１（この例では４本）を備えており、更に基底部２１に嵌め込みが可能な嵌め込み爪３２（この例では２及び４本）が備えられている。そして、基底部２１が嵌め込まれた際にこれよりも外側の部位に基盤との取り付け穴３３（２個）が備えられたものである。又、固定具Ｂには固定具Ａの基底部２１がすっぽり嵌り込む穴部３４が開けられている。尚、図において３５は立プレ−トである。
【００２６】
図６は本発明の固定装置を示す正面図である。即ち、図６（Ａ）は図５（Ａ）の固定具を、図６（Ｂ）は図５（Ｂ）の固定具を夫々用いた正面図である。この図から分かるように固定具Ａの基底部２１は固定部Ｂの穴部３４に嵌り込み、固定部Ｂの立爪３１或いは立プレ−ト３５によって基底部２１の周縁から立設されたフランジ２１ｂ及び脚部２２を包みこんで支持するものである。
【００２７】
この例で分かるように、固定具Ｂの立爪３１或いは立プレ−ト３５内に固定具Ａを差し込むだけで両者の接続が完成するものである。又、固定具Ａの基底部２１の周囲を包み込む立爪３１或いは立プレ−ト３５にあって、これを完全に四周から包み込む必要はなく、図例のように基底部２１の大きさによっては、対向する一対の立爪３１或いは立プレ−ト３５によってのみにて支持することも可能である。勿論、この場合でも嵌め込み爪３２にてフランジ２１ｂの頂上を抑えることは必要である。
【００２８】
更に特徴的には、基盤への取り付け穴３３は固定具Ａとは上面から見て、干渉しない位置に形成されている。このことにより固定具Ａと固定具Ｂが接続した後でも基盤へ取り付けができ、或いは、基盤から取り外しが可能となったものである。この点も従来の固定装置にはない特徴点である。
【００２９】
ここで本発明の固定装置を用いて配管ヘッダ−１０を基盤に固定した例を示すと、図７は側面図、図８は上面図である。尚、固定具Ａと配管ヘッダ−１０との関係は図５及び図６にて詳述したので詳しくは述べないが、継手を連結した配管ヘッダ−１０にあって、そのキャップ６に固定具Ａの舌片２３ｆ、２３ｆにて支持するものである。そして、固定具Ａに対して固定具Ｂが接続されたものであり、固定具Ｂにおける爪３１、３２に対して固定具Ａの基底部２１が嵌め込まれてなるものである。
【００３０】
基盤に対して取り付ける取付穴３３は図でも分かるように配管ヘッダ−１０とは干渉しない位置に備えられている。このため、固定具Ｂは固定具Ａや配管ヘッダ−１０とは無関係に基盤に取り付けが可能となり、逆に配管ヘッダ−１０が装着されている場合でも固定装置の取り外しが可能となったものである。
【産業上の利用可能性】
【００３１】
本発明の固定装置によれば、各種の配管作業に適用可能であり、作業性にも優れるものであって、新規な配管に適用できることは勿論であるが、リフォ−ム時の配管の変更や増設にも適用できその利用範囲は極めて広い。
【符号の説明】
【００３２】
１‥継手の基体、
２‥流路、
３‥連結用筒体、
４‥保持機構、
５‥分岐口、
６‥キャップ、
１０‥配管ヘッダ−、
２０‥固定装置、
２１‥基底部、
２１ａ‥取付用穴、
２１ｂ‥基底部より立ち上がるフランジ、
２２‥脚部、
２２ａ‥ピン、
２３、２３ａ、２３ｂ‥挟持部、
２３ｃ‥突起、
２３ｄ‥掛止部、
２３ｅ‥穴、
２３ｆ‥舌片、
２３ｇ‥踏部、
３１‥固定具Ａの基底部の周縁を包む立爪、
３２‥嵌め込み爪、
３３‥基盤との取付用穴、
３４‥固定具Ａの基底部を嵌め込む穴部、
３５‥立プレ−ト、
Ａ、Ｂ‥固定具。
【図１】
0005452523.tif 000002
【図２】
0005452523.tif 000003
【図３】
0005452523.tif 000004
【図４】
0005452523.tif 000005
【図５】
0005452523.tif 000006
【図６】
0005452523.tif 000007
【図７】
0005452523.tif 000008
【図８】
0005452523.tif 000009